【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
下記式：
【化９５】
2010505241.tif 000001
〔式中、Ａは、窒素、酸素および硫黄から選択される少なくとも１個のヘテロ原子、特に１個の窒素原子と、窒素、置換窒素、酸素および硫黄から選択される少なくとも１個の更なるヘテロ原子とを含む、５員、６員または７員芳香族複素環であり、
Ｚ１は、下記：
【化９６】
2010505241.tif 000002
−ＮＡ１Ａ１’、−Ｐ（＝Ｏ）Ａ４Ａ４’または−ＳｉＡ６Ａ７Ａ８であり、
Ｚ２は、下記：
【化９７】
2010505241.tif 000003
−ＮＡ２Ａ２’、−Ｐ（＝Ｏ）Ａ５Ａ５’または−ＳｉＡ６’Ａ７’Ａ８’であり、
ＡｒおよびＡｒ’は、互いに独立して、場合により、Ｃ１〜Ｃ２５アルキル（場合により−Ｏ−で中断されていてもよい）またはＣ１〜Ｃ２５アルコキシから選択される１つ以上の基で置換されていてもよい、フェニルもしくはナフチルのようなＣ６〜Ｃ１４アリールであり、
Ｒ１、Ｒ２、Ｒ３、Ｒ４、Ｒ５およびＲ６は、互いに独立して、水素、ハロゲンまたは有機置換基であるか、あるいは
Ｒ１、Ｒ２、Ｒ３、Ｒ４、Ｒ５およびＲ６は、互いに独立して、水素、ハロゲンまたは有機置換基であるか、あるいは
Ｒ１、Ｒ２、Ｒ３、Ｒ４、Ｒ５およびＲ６は、互いに独立して、水素、ハロゲンまたは有機置換基であるか、あるいは
互いに隣接している、Ｒ１とＲ２、Ｒ４とＲ６、Ｒ２とＲ３、Ｒ５とＲ３および／またはＲ５とＲ６は、一緒になって、場合により置換されていることができる、芳香族もしくは芳香族複素環または環系を形成し、
Ｒ７は、有機置換基であり、ここで同じ分子における２つ以上の置換基Ｒ７は、異なる意味を有してもよいか、または一緒になって、芳香族もしくは芳香族複素環、もしくは環系を形成することができ、そして
ｘは、０または１〜５の整数であり；
Ａ１、Ａ２、Ａ１’およびＡ２’は、互いに独立して、場合により置換されていることができる、Ｃ６〜Ｃ２４アリール基、Ｃ２〜Ｃ３０ヘテロアリール基、または下記：
【化９８】
2010505241.tif 000004
の基であり、ここでＢＵは、架橋単位、例えば、下記：
【化９９】
2010505241.tif 000005
であり、Ａ３およびＡ３’は、互いに独立して、場合により置換されていることができる、Ｃ６〜Ｃ２４アリール基またはＣ２〜Ｃ３０ヘテロアリール基であるか、あるいはＡ１とＡ１’またはＡ２とＡ２’またはＡ３とＡ３’は、それらが結合している窒素原子と一緒になって、芳香族複素環または環系、例えば下記：
【化１００】
2010505241.tif 000006
を形成し、ｍ’は、０、１または２であり；
Ａ４、Ａ４’、Ａ６、Ａ７、Ａ８、Ａ５、Ａ５’、Ａ６’、Ａ７’およびＡ８’は、互いに独立して、場合により置換されていることができる、Ｃ６〜Ｃ２４アリール基またはＣ２〜Ｃ３０ヘテロアリール基であり、
Ｒ４１は、それぞれの場合に同一または異なっていることができ、Ｃｌ、Ｆ、ＣＮ、ＮＲ４５Ｒ４５’、Ｃ１〜Ｃ２５アルキル基、Ｃ４〜Ｃ１８シクロアルキル基、Ｃ１〜Ｃ２５アルコキシ基（ここで、互いに近接していない１個以上の炭素原子を−ＮＲ４５−、−Ｏ−、−Ｓ−、−Ｃ（＝Ｏ）−Ｏ−もしくは−Ｏ−Ｃ（＝Ｏ）−Ｏ−に代えることができる、および／または１個以上の水素原子をＦに代えることができる）、Ｃ６〜Ｃ２４アリール基またはＣ６〜Ｃ２４アリールオキシ基（ここで、１個以上の炭素原子をＯ、ＳもしくはＮに代えることができるおよび／または１つ以上の非芳香族基Ｒ４１で置換することができる）であるか、あるいは
２つ以上の基Ｒ４１は、環系を形成し；
Ｒ４５およびＲ４５’は、互いに独立して、Ｈ、Ｃ１〜Ｃ２５アルキル基、Ｃ４〜Ｃ１８シクロアルキル基（ここで、互いに近接していない１個以上の炭素原子を−ＮＲ４５”−、−Ｏ−、−Ｓ−、−Ｃ（＝Ｏ）−Ｏ−もしくは−Ｏ−Ｃ（＝Ｏ）−Ｏ−に代えることができる、および／または１個以上の水素原子をＦに代えることができる）、Ｃ６〜Ｃ２４アリール基またはＣ６〜Ｃ２４アリールオキシ基（ここで、１個以上の炭素原子をＯ、ＳもしくはＮに代えることができるおよび／または１つ以上の非芳香族基Ｒ４１で置換することができる）であり；
Ｒ４５”は、Ｈ、Ｃ１〜Ｃ２５アルキル基またはＣ４〜Ｃ１８シクロアルキル基であり、
ｍは、それぞれの場合に同一または異なっていることができ、０、１、２または３、特に０、１または２、とりわけ０または１である〕
で示される化合物を含む、エレクトロルミネセンス（ＥＬ）デバイス。
【請求項２】
下記式：
【化１０１】
2010505241.tif 000007
〔式中、
Ｒ１およびＲ４は、互いに独立して、水素、ハロゲン、Ｃ１〜Ｃ１８アルキル、Ｅで置換されているおよび／もしくはＤで中断されているＣ１〜Ｃ１８アルキル、Ｃ１〜Ｃ１８ペルフルオロアルキル、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、ＣＮまたは−ＣＯ−Ｒ２８であり、
Ｒ２、Ｒ３、Ｒ５およびＲ６は、互いに独立して、Ｈ、ハロゲン、Ｃ１〜Ｃ１８アルキル、Ｅで置換されているおよび／もしくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキル、ＣＮまたは−ＣＯ−Ｒ２８であり、
Ｒ８およびＲ９は、互いに独立して、Ｈ、Ｃ１〜Ｃ１８アルキル、Ｅで置換されているおよび／もしくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキル、ＣＮまたは−ＣＯ−Ｒ２８であるか、あるいは
Ｒ８およびＲ９は、一緒になって、下記：
【化１０２】
2010505241.tif 000008
の基を形成し、ここで、Ｒ２０６’、Ｒ２０８’、Ｒ２０５、Ｒ２０６、Ｒ２０７、Ｒ２０８、Ｒ２０９およびＲ２１０は、互いに独立して、Ｈ、Ｃ１〜Ｃ１８アルキル、Ｅで置換されているおよび／もしくはＤで中断されているＣ１〜Ｃ１８アルキル、Ｃ１〜Ｃ１８アルコキシ、Ｅで置換されているおよび／もしくはＤで中断されているＣ１〜Ｃ１８アルコキシ、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ７〜Ｃ２５アラルキル、ＣＮまたは−ＣＯ−Ｒ２８であり、
Ｒ１０は、Ｈ、Ｃ１〜Ｃ１８アルキル、Ｅで置換されているおよび／もしくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキルまたは−ＣＯ−Ｒ２８であり、
Ｒ８’およびＲ９’は、互いに独立して、Ｈ、ＣＮ、−ＣＯＯＲ２７、−ＣＯＮＲ２５Ｒ２６、Ｃ１〜Ｃ１８アルキル、Ｅで置換されているおよび／もしくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキル、ＣＮまたは−ＣＯ−Ｒ２８であり、
Ｒ１１およびＲ１４は、互いに独立して、水素、ハロゲン、Ｃ１〜Ｃ１８アルキル、Ｅで置換されているおよび／もしくはＤで中断されているＣ１〜Ｃ１８アルキル、Ｃ１〜Ｃ１８ペルフルオロアルキル、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、ＣＮまたは−ＣＯ−Ｒ２８であり、
Ｒ１２、Ｒ１３、Ｒ１５およびＲ１６は、互いに独立して、Ｈ、ハロゲン、Ｃ１〜Ｃ１８アルキル、Ｅで置換されているおよび／もしくはＤで中断されているＣ１〜Ｃ１８アルキル、Ｃ１〜Ｃ１８ペルフルオロアルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキル、ＣＮまたは−ＣＯ−Ｒ２８であり、
Ｘは、Ｏ、ＳまたはＮＲ１７であり、ここでＲ１７は、Ｈ；Ｃ６〜Ｃ１８アリール；Ｃ２〜Ｃ２０ヘテロアリール；Ｃ１〜Ｃ１８アルキル、Ｃ１〜Ｃ１８ペルフルオロアルキルもしくはＣ１〜Ｃ１８アルコキシで置換されている、Ｃ６〜Ｃ１８アリールもしくはＣ２〜Ｃ２０ヘテロアリール；Ｃ１〜Ｃ１８アルキル；または−Ｏ−で中断されているＣ１〜Ｃ１８アルキルであるか、あるいは
互いに隣接している２つの置換基Ｒ１とＲ２、Ｒ４とＲ６、Ｒ１１とＲ１２および／またはＲ１４とＲ１６、Ｒ２とＲ３、Ｒ５とＲ６、Ｒ１２とＲ１３および／またはＲ１５とＲ１６は、一緒になって、下記：
【化１０３】
2010505241.tif 000009
の基を形成するか、あるいは
互いに隣接している２つの置換基Ｒ１５とＲ１３、および／またはＲ５とＲ３は、一緒になって、下記：
【化１０４】
2010505241.tif 000010
の基を形成し、ここで、Ｘ３は、Ｏ、Ｓ、Ｃ（Ｒ１１９）（Ｒ１２０）またはＮＲ１７であり、Ｒ１７は、上記で定義されたとおりであり、Ｒ１０５、Ｒ１０６、Ｒ１０７、Ｒ１０８、Ｒ１０６’およびＲ１０８’は、互いに独立して、Ｈ、Ｃ１〜Ｃ１８アルキル、Ｅで置換されているおよび／もしくはＤで中断されているＣ１〜Ｃ１８アルキル、Ｃ１〜Ｃ１８アルコキシ、またはＥで置換されているおよび／もしくはＤで中断されているＣ１〜Ｃ１８アルコキシであり、
Ｒ１１９およびＲ１２０は、互いに独立して、Ｃ１〜Ｃ１８アルキル、Ｅで置換されているおよび／もしくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、またはＣ７〜Ｃ２５アラルキルであるか、あるいは
Ｒ１１９およびＲ１２０は、一緒になって、式：＝ＣＲ１２１Ｒ１２２の基を形成し、ここで、
Ｒ１２１およびＲ１２２は、互いに独立して、Ｈ、Ｃ１〜Ｃ１８アルキル、Ｅで置換されているおよび／もしくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、またはＧで置換されているＣ２〜Ｃ２０ヘテロアリールであるか、あるいは
Ｒ１１９およびＲ１２０は、一緒になって、場合によりＣ１〜Ｃ１８アルキル、Ｅで置換されているおよび／もしくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキルまたは−Ｃ（＝Ｏ）−Ｒ１２７で置換されていることができる５員または６員環を形成し、
Ｒ１２７は、Ｈ；Ｃ６〜Ｃ１８アリール；Ｃ１〜Ｃ１８アルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルであり、
Ｄは、−ＣＯ−；−ＣＯＯ−；−Ｓ−；−ＳＯ−；−ＳＯ２−；−Ｏ−；−ＮＲ２５−；−ＳｉＲ３０Ｒ３１−；−ＰＯＲ３２−；−ＣＲ２３＝ＣＲ２４−；または−Ｃ≡Ｃ−であり、
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；またはハロゲンであり、Ｇは、Ｅ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシまたはＥで置換されているおよび／もしくはＤで中断されているＣ１〜Ｃ１８アルコキシであり、ここで、
Ｒ２３、Ｒ２４、Ｒ２５およびＲ２６は、互いに独立して、Ｈ；Ｃ６〜Ｃ１８アリール；Ｃ１〜Ｃ１８アルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルであるか；あるいは
Ｒ２５およびＲ２６は、一緒になって５員または６員環を形成し、Ｒ２７およびＲ２８は、互いに独立して、Ｈ；Ｃ６〜Ｃ１８アリール；Ｃ１〜Ｃ１８アルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルであり、
Ｒ２９は、Ｈ；Ｃ６〜Ｃ１８アリール；Ｃ１〜Ｃ１８アルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルであり、
Ｒ３０およびＲ３１は、互いに独立して、Ｃ１〜Ｃ１８アルキル、Ｃ６〜Ｃ１８アリール、またはＣ１〜Ｃ１８アルキルで置換されているＣ６〜Ｃ１８アリールであり、
Ｒ３２は、Ｃ１〜Ｃ１８アルキル、Ｃ６〜Ｃ１８アリール、またはＣ１〜Ｃ１８アルキルで置換されているＣ６〜Ｃ１８アリールであり、そして
Ａ１、Ａ２、Ａ１’およびＡ２’は、請求項１で定義されたとおりである〕
で示される化合物を含む、請求項１記載のＥＬデバイス。
【請求項３】
Ｒ１およびＲ４が、水素であり、
Ｒ２、Ｒ３、Ｒ５およびＲ６が、互いに独立して、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシ、Ｃ７〜Ｃ２５アラルキルまたは基−Ｘ２−Ｒ１８であり、
Ｒ８およびＲ９が、互いに独立して、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシ、または基−Ｘ２−Ｒ１８であるか、あるいは
互いに隣接している２つの置換基Ｒ２とＲ３、および／またはＲ５とＲ６が、一緒になって、下記：
【化１０５】
2010505241.tif 000011
の基を形成するか、あるいは
互いに隣接している２つの置換基Ｒ５およびＲ３が、一緒になって、下記：
【化１０６】
2010505241.tif 000012
の基を形成し、ここで、Ｒ１０５、Ｒ１０６、Ｒ１０７およびＲ１０８が、互いに独立して、ＨまたはＣ１〜Ｃ８アルキルであるか、あるいは
Ｒ８およびＲ９が、一緒になって、下記：
【化１０７】
2010505241.tif 000013
の基を形成し、ここで、Ｒ２０５、Ｒ２０６、Ｒ２０７、Ｒ２０８、Ｒ２０９およびＲ２１０が、互いに独立して、Ｈ、Ｃ１〜Ｃ１８アルキル、Ｅで置換されているおよび／もしくはＤで中断されているＣ１〜Ｃ１８アルキル、Ｃ１〜Ｃ１８アルコキシ、Ｅで置換されているおよび／もしくはＤで中断されているＣ１〜Ｃ１８アルコキシ、またはＣ１〜Ｃ１８ペルフルオロアルキルであり、
Ｒ１０が、Ｈ、Ｇで置換されていることができるＣ６〜Ｃ１８アリール、Ｇで置換されていることができるＣ２〜Ｃ１８ヘテロアリール、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｅで置換されているおよび／もしくはＤで中断されているＣ１〜Ｃ１８アルコキシまたは基−Ｘ２−Ｒ１８であり、ここでＸ２はスペーサーであり、例えばＣ６〜Ｃ１２アリールまたはＣ６〜Ｃ１２ヘテロアリール、特にフェニルまたはナフチルであり、これは、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシまたはＥで置換されているおよび／もしくはＤで中断されているＣ１〜Ｃ１８アルコキシにより１回以上、特に１〜２回置換されていることができ、Ｒ１８は、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシまたは−ＮＲ２５Ｒ２６であり、
Ｄが、−ＣＯ−；−ＣＯＯ−；−Ｓ−；−ＳＯ−；−ＳＯ２−；−Ｏ−；−ＮＲ２５−；−ＣＲ２３＝ＣＲ２４−；または−Ｃ≡Ｃ−であり、
Ｒ２３、Ｒ２４、Ｒ２５およびＲ２６が、互いに独立して、Ｈ；Ｃ６〜Ｃ１８アリール；Ｃ１〜Ｃ８アルキルもしくはＣ１〜Ｃ８アルコキシで置換されているＣ６〜Ｃ１８アリール；Ｃ１〜Ｃ８アルキル；または−Ｏ−で中断されているＣ１〜Ｃ８アルキルであるか、あるいはＲ２５およびＲ２６が、一緒になって、５員または６員環を形成する
式ＸまたはＸＩの化合物を含む、請求項２記載のＥＬデバイス。
【請求項４】
下記式：
【化１０８】
2010505241.tif 000014
〔式中、Ｒ１０は、Ｈ、Ｇで置換されていることができるＣ６〜Ｃ１８アリール、Ｇで置換されていることができるＣ２〜Ｃ１８ヘテロアリール、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｅで置換されているおよび／もしくはＤで中断されているＣ１〜Ｃ１８アルコキシまたは基−Ｘ２−Ｒ１８であり、ここでＸ２はスペーサーであり、例えばＣ６〜Ｃ１２アリールまたはＣ６〜Ｃ１２ヘテロアリール、特にフェニルまたはナフチルであり、これは、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシまたはＥで置換されているおよび／もしくはＤで中断されているＣ１〜Ｃ１８アルコキシにより１回以上、特に１〜２回置換されていることができ、Ｒ１８は、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシまたは−ＮＲ２５Ｒ２６−であり、
Ｒ１１およびＲ１４は、水素であり、
Ｒ１２、Ｒ１３、Ｒ１５およびＲ１６は、水素であり、
Ｒ１７は、Ｃ６〜Ｃ１８アリール；Ｃ１〜Ｃ１８アルキル、Ｃ１〜Ｃ１８ペルフルオロアルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルであるか、あるいは
互いに隣接している２つの置換基Ｒ１５とＲ１３、Ｒ１２とＲ１３および／またはＲ１５とＲ１６は、一緒になって、下記：
【化１０９】
2010505241.tif 000015
の基を形成するか、あるいは
互いに隣接している２つの置換基Ｒ１５およびＲ１３は、一緒になって、下記：
【化１１０】
2010505241.tif 000016
の基を形成し、ここで、Ｒ１０５、Ｒ１０６、Ｒ１０７およびＲ１０８は、互いに独立して、ＨまたはＣ１〜Ｃ８アルキルであり、
Ｄは、−Ｓ−；−Ｏ−；または−ＮＲ２５−であり、
Ｅは、−ＯＲ２９；−ＳＲ２９；−ＮＲ２５Ｒ２６；−ＣＮ；またはＦであり、Ｇは、Ｅ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシまたはＥで置換されているおよび／もしくはＤで中断されているＣ１〜Ｃ１８アルコキシであり、ここで、
Ｒ２５およびＲ２６は、互いに独立して、Ｈ；Ｃ６〜Ｃ１８アリール；Ｃ１〜Ｃ８アルキルもしくはＣ１〜Ｃ８アルコキシで置換されているＣ６〜Ｃ１８アリール；Ｃ１〜Ｃ８アルキル；または−Ｏ−で中断されているＣ１〜Ｃ８アルキルであるか、あるいは
Ｒ２５およびＲ２６は、一緒になって、５員または６員環、特に下記：
【化１１１】
2010505241.tif 000017
を形成し、そして
Ｒ２９は、Ｃ６〜Ｃ１８アリール；Ｃ１〜Ｃ１８アルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルである〕
を有する化合物を含む、請求項２記載のＥＬデバイス。
【請求項５】
Ａ１、Ａ２、Ａ１’およびＡ２’が、互いに独立して、特に、フェニル、ナフチル、アントリル、ビフェニリル、２−フルオレニル、フェナントリルまたはペリレニルであり、これは場合により置換されていることができ、例えば下記：
【化１１２】
2010505241.tif 000018
であるか、あるいはＡ１およびＡ１’、またはＡ２およびＡ２’が、それらが結合している窒素原子と一緒になって、芳香族複素環または環系、例えば下記：
【化１１３】
2010505241.tif 000019
を形成し、ｍ’が、０、１または２であり；
ｍが、それぞれの場合に同一または異なっていることができ、０、１、２または３、特に０、１または２、とりわけ０または１であり；
Ｒ４１が、それぞれの場合に同一または異なっていることができ、Ｃｌ、Ｆ、ＣＮ、Ｎ（Ｒ４５）２、Ｃ１〜Ｃ２５アルキル基、Ｃ４〜Ｃ１８シクロアルキル基、Ｃ１〜Ｃ２５アルコキシ基（ここで、互いに近接していない１個以上の炭素原子を−ＮＲ４５−、−Ｏ−、−Ｓ−もしくは−Ｃ（＝Ｏ）−Ｏ−に代えることができる、および／または１個以上の水素原子をＦに代えることができる）、Ｃ６〜Ｃ２４アリール基またはＣ６〜Ｃ２４アリールオキシ基（ここで、１個以上の炭素原子をＯ、ＳもしくはＮに代えることができるおよび／または１つ以上の非芳香族基Ｒ４１で置換することができる）であるか、あるいは
２つ以上の基Ｒ４１が、環系を形成し；
Ｒ４５が、Ｈ、Ｃ１〜Ｃ２５アルキル基、Ｃ４〜Ｃ１８シクロアルキル基、（ここで、互いに近接していない１個以上の炭素原子を−ＮＲ４５”−、−Ｏ−、−Ｓ−、−Ｃ（＝Ｏ）−Ｏ−もしくは−Ｏ−Ｃ（＝Ｏ）−Ｏ−に代えることができる、および／または１個以上の水素原子をＦに代えることができる）、Ｃ６〜Ｃ２４アリール基、またはＣ６〜Ｃ２４アリールオキシ基（１個以上の炭素原子をＯ、ＳもしくはＮに代えることができるおよび／または１つ以上の非芳香族基Ｒ４１で置換することができる）であり；
Ｒ４５”が、Ｈ、Ｃ１〜Ｃ２５アルキル基またはＣ４〜Ｃ１８シクロアルキル基であり、
Ｒ１１６、Ｒ１１７およびＲ１１７’が、互いに独立して、Ｈ、ハロゲン、−ＣＮ、Ｃ１〜Ｃ１８アルキル、Ｅで置換されているおよび／もしくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキル、−Ｃ（＝Ｏ）−Ｒ１２７、−Ｃ（＝Ｏ）ＯＲ１２７、または−Ｃ（＝Ｏ）ＮＲ１２７Ｒ１２６であるか、あるいは
互いに隣接している置換基Ｒ１１６、Ｒ１１７およびＲ１１７’が、環を形成することができ、
Ｒ１１９およびＲ１２０が、互いに独立して、Ｃ１〜Ｃ１８アルキル、Ｅで置換されているおよび／もしくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、またはＣ７〜Ｃ２５アラルキルであるか、あるいは
Ｒ１１９およびＲ１２０が、一緒になって、式：＝ＣＲ１２１Ｒ１２２の基を形成し、ここで、
Ｒ１２１およびＲ１２２が、互いに独立して、Ｈ、Ｃ１〜Ｃ１８アルキル、Ｅで置換されているおよび／もしくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、またはＧで置換されているＣ２〜Ｃ２０ヘテロアリールであるか、あるいは
Ｒ１１９およびＲ１２０が、一緒になって、場合によりＣ１〜Ｃ１８アルキル、Ｅで置換されているおよび／もしくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されているおよび／もしくはＤで中断されているＣ１〜Ｃ１８アルコキシ、Ｃ７〜Ｃ２５アラルキルまたは−Ｃ（＝Ｏ）−Ｒ１２７で置換されていることができる５員または６員環を形成し、
Ｒ１２６およびＲ１２７が、互いに独立して、Ｈ；Ｃ６〜Ｃ１８アリール；Ｃ１〜Ｃ１８アルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルであり、
Ｄが、−ＣＯ−、−ＣＯＯ−、−Ｓ−、−ＳＯ−、−ＳＯ２−、−Ｏ−、−ＮＲ６５−、−ＳｉＲ７０Ｒ７１−、−ＰＯＲ７２−、−ＣＲ６３＝ＣＲ６４−、または−Ｃ≡Ｃ−であり、
Ｅが、−ＯＲ６９、−ＳＲ６９、−ＮＲ６５Ｒ６６、−ＣＯＲ６８、−ＣＯＯＲ６７、−ＣＯＮＲ６５Ｒ６６、−ＣＮ、またはハロゲンであり、
Ｇが、ＥまたはＣ１〜Ｃ１８アルキルであり、
Ｒ６３、Ｒ６４、Ｒ６５、Ｒ６５’およびＲ６６が、互いに独立して、Ｈ；Ｃ６〜Ｃ１８アリール；Ｃ１〜Ｃ１８アルキル、Ｃ１〜Ｃ１８アルコキシで置換されているＣ６〜Ｃ１８アリール；Ｃ１〜Ｃ１８アルキル；または−Ｏ−で中断されているＣ１〜Ｃ１８アルキルであるか；あるいは
Ｒ６５およびＲ６６が、一緒になって、５員または６員環を形成し、
Ｒ６７およびＲ６８が、互いに独立して、Ｈ；Ｃ６〜Ｃ１８アリール；Ｃ１〜Ｃ１８アルキルもしくはＣ１〜Ｃ１８アルコキシで置換されているＣ６〜Ｃ１８アリール；Ｃ１〜Ｃ１８アルキル；または−Ｏ−で中断されているＣ１〜Ｃ１８アルキルであり、
Ｒ６９が、Ｈ；Ｃ６〜Ｃ１８アリール；Ｃ１〜Ｃ１８アルキル、Ｃ１〜Ｃ１８アルコキシで置換されているＣ６〜Ｃ１８アリール；Ｃ１〜Ｃ１８アルキル；または−Ｏ−で中断されているＣ１〜Ｃ１８アルキルであり、
Ｒ７０およびＲ７１が、互いに独立して、Ｃ１〜Ｃ１８アルキル、Ｃ６〜Ｃ１８アリール、またはＣ１〜Ｃ１８アルキルで置換されているＣ６〜Ｃ１８アリールであり、そして
Ｒ７２が、Ｃ１〜Ｃ１８アルキル、Ｃ６〜Ｃ１８アリール、またはＣ１〜Ｃ１８アルキルで置換されているＣ６〜Ｃ１８アリールであるか、あるいは
Ａ１、Ａ２、Ａ１’およびＡ２’が、互いに独立して、下記：
【化１１４】
2010505241.tif 000020
の基であり、ここでＢＵが、下記：
【化１１５】
2010505241.tif 000021
であり、ここでＲ４１およびｎが請求項１で定義されたとおりである
請求項１〜４のいずれか１項記載のＥＬデバイス。
【請求項６】
下記：
【化１１６】
2010505241.tif 000022
2010505241.tif 000023
2010505241.tif 000024
2010505241.tif 000025
2010505241.tif 000026
から選択される化合物を含む、請求項１〜５のいずれか１項記載のＥＬデバイス。
【請求項７】
陰極、陽極、その間に、ホスト材料を含有する発光層、およびリン光性発光材料を含み、ホスト材料が式Ｉの化合物である、請求項１〜７のいずれか１項記載のエレクトロルミネセンスデバイス。
【請求項８】
下記式：
【化１１７】
2010505241.tif 000027
〔式中、
Ａ、Ｚ１、Ｚ２、Ｒ１、Ｒ２、Ｒ３、Ｒ４、Ｒ５、Ｒ６、Ｒ７およびｘは、請求項１で定義されたとおりである〕で示されるが、但し、下記式：
【化１１８】
2010505241.tif 000028
〔式中、Ｒ１〜Ｒ４は、それぞれ、Ｈ原子、（置換）アルキル基、アラルキル基、アリール基または複素環基であり、ここでＲ１とＲ２およびＲ３とＲ４は、それぞれ、Ｎ原子と一緒になって５員〜７員環を形成してもよく、そして、Ｒ５〜Ｒ７は、それぞれ、Ｈ原子、（置換）アルキル基、アルコキシ基、ハロゲン原子またはニトロ基である〕により表されるフェナジン化合物が除外される
化合物。
【請求項９】
太陽電池、特に色素レーザーおよびエレクトロルミネセンスデバイスのための、請求項８記載の式Ｉの化合物の使用。
【請求項１０】
Ｚ１およびＺ２が、互いに独立して−ＮＡ１Ａ１’または下記：
【化１１９】
2010505241.tif 000029
であり、ｍ’が、０、１または２である請求項８記載の式Ｉの化合物の調製方法であって、下記式：
【化１２０】
2010505241.tif 000030
〔式中、Ｘ１０は、ヨードのようなハロゲンを表す〕
で示される化合物を、式：ＨＮＡ１Ａ１’または下記：
【化１２１】
2010505241.tif 000031
の化合物と、塩基および触媒の存在下、溶媒中で反応させることを含み、ここでＲ７、ｘ、Ａ、Ａ１、Ａ１’、Ｒ１、Ｒ２、Ｒ３、Ｒ４、Ｒ５、Ｒ６、Ｒ４１およびｍが、請求項１で定義されたとおりである
方法。
【手続補正２】
【補正対象書類名】明細書
【補正対象項目名】００４４
【補正方法】変更
【補正の内容】
【００４４】
−ＮＡ２Ａ２’、−Ｐ（＝Ｏ）Ａ５Ａ５’または−ＳｉＡ６’Ａ７’Ａ８’であり、
ＡｒおよびＡｒ’は、互いに独立して、場合により、Ｃ１〜Ｃ２５アルキル（場合により−Ｏ−で中断されていてもよい）またはＣ１〜Ｃ２５アルコキシから選択される１つ以上の基で置換されていてもよい、フェニルもしくはナフチルのようなＣ６〜Ｃ１４アリールであり、
【手続補正３】
【補正対象書類名】明細書
【補正対象項目名】００９４
【補正方法】変更
【補正の内容】
【００９４】
の基を形成し、ここで、Ｒ２０５、Ｒ２０６、Ｒ２０７、Ｒ２０８、Ｒ２０９およびＲ２１０は、互いに独立して、Ｈ、Ｃ１〜Ｃ１８アルキル、Ｅで置換されているおよび／もしくはＤで中断されているＣ１〜Ｃ１８アルキル、Ｃ１〜Ｃ１８アルコキシ、Ｅで置換されているおよび／もしくはＤで中断されているＣ１〜Ｃ１８アルコキシ、またはＣ１〜Ｃ１８ペルフルオロアルキルであり、
Ｒ１０は、Ｈ、Ｇで置換されていることができるＣ６〜Ｃ１８アリール、Ｇで置換されていることができるＣ２〜Ｃ１８ヘテロアリール、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｅで置換されているおよび／もしくはＤで中断されているＣ１〜Ｃ１８アルコキシまたは基−Ｘ２−Ｒ１８であり、ここでＸ２はスペーサーであり、例えばＣ６〜Ｃ１２アリールまたはＣ６〜Ｃ１２ヘテロアリール、特にフェニルまたはナフチルであり、これは、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシまたはＥで置換されているおよび／もしくはＤで中断されているＣ１〜Ｃ１８アルコキシにより１回以上、特に１〜２回置換されていることができ、Ｒ１８は、Ｈ、Ｃ１〜Ｃ１８アルキル、Ｄで中断されているＣ１〜Ｃ１８アルキル、Ｃ１〜Ｃ１８ペルフルオロアルキル、Ｃ１〜Ｃ１８アルコキシ、Ｄで中断されているＣ１〜Ｃ１８アルコキシまたは−ＮＲ２５Ｒ２６であり、
Ｄは、−ＣＯ−；−ＣＯＯ−；−Ｓ−；−ＳＯ−；−ＳＯ２−；−Ｏ−；−ＮＲ２５−；−ＣＲ２３＝ＣＲ２４−；または−Ｃ≡Ｃ−であり、ここで、
Ｒ２３、Ｒ２４、Ｒ２５およびＲ２６は、互いに独立して、Ｈ；Ｃ６〜Ｃ１８アリール；Ｃ１〜Ｃ８アルキルもしくはＣ１〜Ｃ８アルコキシで置換されているＣ６〜Ｃ１８アリール；Ｃ１〜Ｃ８アルキル；または−Ｏ−で中断されているＣ１〜Ｃ８アルキルであるか、あるいはＲ２５およびＲ２６は、一緒になって、５員または６員環を形成する。